(57)【特許請求の範囲】
【請求項１】
多層光ディスク（１０２）のＴＯＣ（１５４）および第１のセットのユーザー・データ（１２０）を表現するピットおよびランドの配列を含む第１の基板（１６２）を有する第１の層（１１４）を、前記ディスクに対して形成する工程と、
第２のセットのユーザー・データ（１２６）および識別タグ（１５０）を表現するピットおよびランドの配列を含む第２の基板（１５８）を有し、且つ前記第１の層に隣接して整列されるように構成された第２の層（１１６）を、前記ディスクに対して形成する工程と、
前記第２の基板を読み取るリードバックシステム（１００）を用いて前記第２の層から前記識別タグを回復する工程と、
回復された前記識別タグを用いて、前記第２の層に関連付けられてコンピュータメモリに格納されているデータベース（２１６）へアクセスし、当該データベースから情報を抽出する工程と、
抽出された前記情報を用いて、前記第２の層が前記第１の層に対応していることを確認する工程と、
を含むことを特徴とする方法。
【請求項２】
さらに、前記第２の層を前記第１の層に材料（１６４）の層を用いて付着することを含む請求項１に記載の方法。
【請求項３】
さらに、前記第２の層に隣接して整列されるように構成され、第３のセットのユーザー・データと、前記第３の層を前記第１および第２の層に対応するものとして識別する第２の識別タグとを記憶する、前記ディスク用の第３の層を形成することを含む請求項１に記載の方法。
【請求項４】
さらに、前記第２の層を前記第１の層に取り付ける前において、前記識別タグを回復する工程で用いられたリードバックシステムを用いて、欠陥について当該第２の層を検査する工程（２０８）を含む請求項１に記載の方法。
【請求項５】
さらに、前記識別タグを用いて前記第２のセットのユーザー・データ（２０６）の改訂レベルを識別することを含む請求項１に記載の方法。
【請求項６】
多層光ディスク（１０２）の第１の層（１５６）のピットおよびランドの配列を形成するピットおよびランドを有する第１のスタンパ（１６０）と、
前記ディスクの第２の層（１５８）のピットおよびランドの配列を形成するピットおよびランドを有する第２のスタンパ（１５６）であって、当該ディスクのコンテンツに関連付けられている参照値を含み当該第２の層が前記第１の層に対応していることを識別する識別タグ（１５０）を有する当該第２のスタンパ（１５６）と、
メモリ（２１６）にデータベースを格納するコンピュータシステム（２１４）と、
前記コンピュータシステムに結合されたリードバックシステム（１００）であって、前記第２のスタンパのピットおよびランドを読み取り、前記識別タグを回復し、当該識別タグを用いて前記データベースへアクセスし、前記第２のスタンパに関連付けられている情報を当該データベースから抽出し、抽出された当該情報を用いて前記第２のスタンパが前記第１のスタンパに対応していることを確認するように構成されている当該リードバックシステムと、
を備えたことを特徴とする装置。
【請求項７】
前記ディスクの前記第１の層のピットおよびランドは、当該ディスクのＴＯＣを含むデータを表現し、
前記識別タグは、前記ＴＯＣの少なくとも一部を有することを特徴とする請求項６に記載の装置。
【請求項８】
請求項６に記載の前記第２のスタンパにより形成された射出成形品であって、
前記第２のスタンパのピットおよびランドにより形成されるピットおよびランドの配列により表現される、前記ディスクのコンテンツに関連付けられている参照値を含む前記識別タグを有することを特徴とする射出成形品。
【請求項９】
請求項８に記載の前記射出成形品から形成される多層光ディスク。
【請求項１０】
前記リードバックシステムは、前記第２のスタンパを用いて前記第２の層を形成する前において、当該第２のスタンパの欠陥を検査するようにさらに構成されていることを特徴とする請求項６に記載の装置。
【請求項１１】
抽出された前記情報は、前記第２の層の改訂レベルを識別することを特徴とする請求項６に記載の装置。
【請求項１２】
抽出された前記情報は、前記ディスクのタイトルを識別することを特徴とする請求項６に記載の装置。
【請求項１３】
抽出された前記情報は、前記第２のスタンパを用いて実行された工程の履歴を識別することを特徴とする請求項６に記載の装置。
【請求項１４】
前記リードバックシステムは、前記確認を行う上で、前記コンピュータシステムと通信し、前記データベースを更新するようにさらに構成されていることを特徴とする請求項６に記載の装置。
【発明の詳細な説明】
【技術分野】
【０００１】
本発明は、一般に光ディスク技術の分野に関し、さらに詳しくは、限定されるものではないが、多層光ディスク内の複数層の識別に関するものである。
【背景技術】
【０００２】
光ディスクは広範なデジタル符号化データを記憶するのに用いられる媒体である。かかるディスクは通常、実際に持ち運びができ、そして、様々な設定（パーソナルコンピュータ、車載用オーディオプレーヤー、ホームシアターシステム、携帯用個人娯楽端末、家庭用ゲームシステム等）で再生することができる。
【０００３】
典型的な光ディスクは、屈折性基材に光反射性材料の記録層を１層以上埋め込んでなる円形のディスクを備える。各記録層は、ディスクの回転軸線に実質的に垂直な平面と平行に配置され、そして、連続して延びているらせん状のトラックに沿って局在するピット  およびランドの形式でデータを記憶する。データ変換ヘッドは、レーザまたは同様の光を利用して、ピットおよびランド領域が異なった反射率を持つことに基づいて、リードバック信号を出力する。復号回路は、適当な再生装置によって出力されるユーザ・データを復号する。
【０００４】
光ディスクは、典型的には、リードイン領域、プログラム領域、およびリードアウト領域を有する。索引や類似の情報は典型的にはリードイン領域に記憶されて、リードバックシステムが再生領域のコンテンツを識別することを可能にしている。ＤＶＤ−９のようなある種のフォーマットに普及している多層ディスクは複数の埋め込まれた半透明層を用い、これらの半透明層はリードバックシステムの焦点長を切り換えることによりアクセスすることが可能である。
【０００５】
多層ディスクでは、リードバックシステムは、典型的には、変換ヘッドを半径方向にディスクを横切って（例えば内径、ＩＤ、から外径、ＯＤまで）移動させる。第１層が完了すると、リードバックシステムはヘッドの焦点長を切替え、ディスクの半径を横切って戻り（例えば、ＯＤからＩＤへ）次の層の読取を続ける。第１の層はリードイン領域を有し、このリードイン領域はディスク内の層のすべてのプログラム領域のコンテンツを識別する索引を記憶している。最終層の終点は再生の終了を示すリードアウト領域を有する。
【発明の開示】
【発明が解決しようとする課題】
【０００６】
多層ディスク全体用のコンテンツ情報は、現在は、（リードイン領域の）第１の層のみに記憶されるので、一般的には、第１の層が存在しなければ第２の層のコンテンツを検証する有効な方法がない。このため、層ごとに個別に検査を行うことは困難であり、最終的に複製されたディスク内に正しい層が組み込まれていることを保証することはより困難になる。
【課題を解決するための手段】
【００１５】
さらに別の態様では、本発明の方法は、多層光ディスクのＴＯＣおよび第１のセットのユーザー・データを表現するピットおよびランドの配列を含む第１の基板を有する第１の層を、ディスクに対して形成する工程と、第２のセットのユーザー・データおよび識別タグを表現するピットおよびランドの配列を含む第２の基板を有し、且つ第１の層に隣接して整列されるように整列された第２の層を、ディスクに対して形成する工程と、第２の基板を読み取るリードバックシステムを用いて第２の層から識別タグを回復する工程と、回復された識別タグを用いて、第２の層に関連付けられてコンピュータメモリに格納するデータベースへアクセスし、データベースから情報を抽出する工程と、抽出された情報を用いて、第２の層が第１の層に対応していることを確認する工程と、を含む。
【００１６】
本方法は、好ましくは、さらに、第２の層を第１の層に材料の層を用いて付着することを含む。本方法は、好ましくは、第２の層に隣接して整列されるように構成され、第３のセットのユーザー・データと、第３の層を第１および第２の層に対応するものとして識別する第２の識別タグとを記憶する、ディスク用の第３の層を形成することを含む。
【００１７】
本方法は、さらに、第２の層を第１の層に取り付ける前において、識別タグを回復する工程で用いられたリードバックシステムを用いて、欠陥について第２の層を検査する工程を含む。本方法は、好ましくは、さらに、識別タグを使用して前記第２のセットのユーザー・データの改訂レベルを識別することを含む。
さらに別の態様では、多層光ディスクの第１の層のピットおよびランドの配列を形成するピットおよびランドを有する第１のスタンパ（１６０）と、ディスクの第２の層のピットおよびランドの配列を形成するピットおよびランドを有する第２のスタンパであって、ディスクのコンテンツに関連付けられている参照値を含み第２の層が第１の層に対応していることを識別する識別タグを有する第２のスタンパと、メモリにデータベースを格納するコンピュータシステムと、コンピュータシステムに結合されたリードバックシステムであって、第２のスタンパのピットおよびランドを読み取り、識別タグを回復し、識別タグを用いてデータベースへアクセスし、第２のスタンパに関連付けられている情報をデータベースから抽出し、抽出された情報を用いて第２のスタンパが第１のスタンパに対応していることを確認するように構成されているリードバックシステムと、を備えた装置が提供される。
【発明の効果】
【００１８】
このようにして、個々の層の全体的な歴史を容易に維持することができ、異なるタイトル（題名）からの層を不適切に結合すること、および／または不正確な改訂レベルの層を使用することに関する誤りを検出し、除去することができる。
【００１９】
本発明を特徴付けるこれらおよび種々の他の特長および利点は以下の詳細な説明を読み、添付の図面を参照することであきらかになる。
【発明を実施するための最良の形態】
【００２０】
図１は、光ディスク１０２からデータを復唱するのに用いるリードバックシステム１００を示す。この説明のために、ディスク１０２は多層、デジタル多用途ディスク（Ｄｉｇｉｔａｌ  Ｖｅｒｓａｔｉｌｅ  Ｄｉｓｋ；ＤＶＤ）適合フォーマット、例えばＤＶＤ−９を有するものものとするが、特許請求の範囲に記載の本発明はこれに限定されない。
【００２１】
リードバックシステム１００は、リードバックプロセッサ１０４を備え、リードバックプロセッサ１０４は入力／出力（Ｉ／Ｏ）装置１０６と通信する。ディスク１０２に記憶されるデータの種類（すなわち、ＤＶＤ−ＲＯＭ、ＤＶＤオーディオ、ＤＶＤビデオ等）に応じて、装置１０６はパーソナル・コンピュータ、光ディスクオーディオまたビデオプレイヤー、ゲームシステム等を備えることができる。
【００２２】
リードバックプロセッサ１０４は、アクチュエータ１０８、光ピックアップ（変換ヘッド）１１０およびディスクモータ１１２を制御する。リードバック動作の間、リードバックプロセッサ１０４はヘッド１１０が変換した変調信号を処理して最初に記憶されたデータをディスク１０２から装置１０６に提供する。
【００２３】
図２はディスク１０２のデータ構造を一般化して示した図である。ディスク１０２は２つの隣接するデータ記録層１１４、１１６を備え、それぞれ「層０」および「層１」として表示される。所望により他の層の数および構成を代わりに用いることも可能である。
【００２４】
第１の層１１４（層０）はリードイン領域１１８と、これに引き続いてプログラム領域１２０と中間領域１２２とを有する。第２の層（層１）は中間領域１２４と、プログラム領域１２６と、リードアウト領域１２８とを有する。認識されるように、図２に示す種々の領域のデータ記憶容量で表したそれぞれのサイズを計って示していないが、プログラム領域のデータ容量はリードイン、リードアウトおよび中間の各領域に比べて非常に大きい。
【００２５】
ディスク１０２のコンテンツ情報は索引、ＴＯＣ、の形でリードイン領域１１８に記憶される。認識されるように、ＴＯＣは、プログラム領域１２０、１２６の全コンテンツを標準化された方法で、タイトル、長さ、経過時間、章分割の数および位置等を識別する。
【００２６】
順次リードバック動作の際、層１１４、１１６はそれぞれ図示の方向に読取される。ヘッド１１０（図１）はリードイン領域１１８を突き止め、ＴＯＣにアクセスし、層０のプログラム領域１２０のコンテンツの回復を開始する。プログラム領域の終端で、ヘッド１１０は層１を読むのに焦点深さを適切なレベルに調整して、ディスク１０２の端部を示すリードアウト領域に到達するまで、プログラム領域１２６のコンテンツの回復を継続する。中間領域１２２、１２４は緩衝領域として働き、一般的には読み跳ばされる。
【００２７】
層１１４、１１６はそれぞれ図３に１３０で示すような記録システムを用いて形成するのが好ましい。レーザービームレコーダー（ＬＢＲ）として特徴付けられるのが好ましい記録システム１３０は、ソース１３４からの入力データを処理する信号処理ブロック１３２を備える。信号処理ブロック１３２は符号化されたデータを変調（ＭＯＤ）回路１３６に送り、変調回路１３６は周波数変調信号を発光変換器１３８に出力する。
【００２８】
変換器１３８はガラスマスターディスク１４０上にスピン塗布されたホトレジストの薄層を選択的に露光する。ディスク１４０はモータ１４２により調節可能に回転され、変換器１３８はアクチュエータ１４４によりディスクを半径方向に横断して進み、両者はともに制御ブロック１４６の制御下にある。このようにして、露光および未露光ホトレジストの選択的パターンがソース１３４からの入力データに関連して生成される。
【００２９】
以後の処理工程をガラスマスターディスク上で行って複製ディスクを形成するのに用いるスタンパを作製する。ここで注意されるのは、ガラスマスターディスク１４０はディスク１０２の層１１４、１１６のそれぞれについて順次形成されることである。
【００３０】
前述の通り、大容量製造環境にある多層光ディスクの製造は多くの難題をもたらす。従来、非ゼロ層は所与のディスクタイトルについて他の非ゼロおよびゼロ層とともに属するそのような層を容易に識別する情報を提供されていない。（プログラム領域１２６におけるような）非ゼロ層のプログラムコンテンツはディスクコンテンツ全体の「中間」のどこかである開始点を有するので、一般的には、特定の非ゼロ層を正確にテストして、ＴＯＣ情報を関連するゼロ層から知ることなくそれらの情報が正確であることを検証することは不可能である。というのは、そのような情報は一般的に非ゼロ層データがどこから開始し、どこで終了するかを突き止めるのに必要とされるからである。
【００３１】
もう一つの問題は、製造時の層の不整合を検出することに関する。すなわち、第１のディスクタイトルからのゼロ層が第２のディスクタイトルからの非ゼロ層と不適切に結合される状況である。そのような不整合を検出するために非ゼロ層のプログラム領域のコンテンツの長さをゼロ層のＴＯＣと比較してもよいが、このアプローチは、非ゼロ層のプログラム領域のコンテンツが実際にＴＯＣにより期待される長さよりも有意に長いかまたは短い場合に、一般的にうまくゆく傾向がある。
【００３２】
従って、異なるタイトルからの同じ量のデータを持つ非ゼロ層は所与のゼロ層に容易に添付されてしまい、ＴＯＣの長さの情報を参照してもこの誤りを検出することができないであろう。
【００３３】
さらに別の問題は、所与のディスクタイトルの製造の工程の間の時に応じて個々の層の更新板を形成することができることに関する。そのような更新板は所与の層の変更されたプログラム領域コンテンツ（例えば、追加の特徴の追加、気が付いた誤りの訂正等）を提供するために生成される。そのような更新板は、また、特定の層をリマスター（再記録）して新しい世代のスタンパを形成することに関するものであってもよい。現在、所与のセットの層が一緒に属するか否かを追跡し、所与のディスク内の種々の個別の層の（改訂レベルを含む）現状を容易に識別する一般的に有効な方法がない。
【００３４】
従って、本発明の好適な実施形態は、一般に、多層ディスクの種々の層に識別タグを導入することを対象とする。このアプローチにより従来技術の上述の問題および他の問題が有利に解決される仕方について以下に説明する。
【００３５】
図４は図２の第２の層１１６（層１）の該当部分を一般的に示した図である。この層は、図４ではより一般化されて層Ｎ＞０と呼ばれる。その理由は、図示の形式は任意の非ゼロ層（すなわち、第３の層、第４の層、等）に適用することができ、ディスクの第２の層のみに限定されないからである。
【００３６】
好ましくは、図４の中間層１２４は、中間層１２４に割り当てられた識別タグを記憶するフィールド１５０を設けられている。識別（ＩＤ）タグは同層内でピットおよびランドの配列として表現され、復号されると、層１１６のコンテンツに関する情報の多ビット表示を与える。
【００３７】
ＩＤタグは層１が層０と対応する（共に属する（ｂｅｌｏｎｇ  ｗｉｔｈ））ことを示す。ＩＤタグフィールド１５０は中間領域１２４に好都合に配置され、中間領域１２４からアクセス可能であるが、プログラム領域１２６またはリードアウト領域１２８（図２）を始めとして他の位置も容易に使用することができる。重要なことに、ＩＤタグは単にプログラム領域のコンテンツ自体を構成するだけでなく、プログラム領域の別個の識別子として働く。
【００３８】
好ましい一実施形態では、ＩＤタグは第１の層１１４からのＴＯＣの少なくとも一部、例えば層１１６のプログラム領域１２６に存在するタイトルコンテンツの部分に関する部分を含む。このようにして、この情報を層１１６の独立型（ｓｔａｎｄ−ａｌｏｎｅ）検査の際に使用することができ、関連する層１１４からＴＯＣにアクセスすることを必要としない。あるいはまた、第１の層１１４からの完全なＴＯＣのコピーをＩＤタグフィールド１５０に容易に記憶することができる。
【００３９】
他のアプローチでは、ＩＤタグは追加的に、または代わりに、層１１６に割り当てられた特定の参照値を含む。一般に、この参照値は、データベースにアクセスすることにより層１１６のタイトル、コンテンツ、改訂レベル、マスタリングの日付その他の関連履歴特性を識別することを可能にする（符号化されたまたは符号化されていないアルファベット数字文字列（ｓｔｒｉｎｇ）のような）一意的な識別子である。
【００４０】
好ましくは、ディスク１０２のすべての層が、第１の層１１４（層０）を含めて、ＩＤタグを設けられている。図５はこの実施形態において中間領域１２２にＩＤタグフィールド１５２を備える第１の層１１４を示す。前述と同様に、ＩＤタグフィールド１５２は代わりに第１の層１１４内のどこに配置してもよく、例えばリードイン領域１１８またはプログラム領域１２０に配置してもよい。ＩＤタグフィールド１５２はリードイン領域１１８のＴＯＣフィールド１５４内に、上述のＴＯＣに加えて設けられている。
【００４１】
層０のフィールド１５２内のＩＤタグは層１のフィールド１５０内のＩＤタグと同じでも異なっていてもよい。このようにして、ＩＤタグにアクセスすると、特定の層１１４、１１６が一緒に属していることを容易に決定することができる。
【００４２】
フィールド１５０、１５２のＩＤタグは以下に説明するように、直接的な方法で形成される。図６は、層１に対する第１のスタンパ１５６を簡略化して示す図である。第１のスタンパ１５６は、図６により一般的にスタンパＮ＞０として参照され、非ゼロ層のスタンパを表すが、図３のシステム１３０を用いて形成される。
【００４３】
さらに詳しくは、図３を再び参照すると、ＩＤタグを含む、層１に記憶すべきデータに関するソース１３４からの入力データを用いてガラスマスター１４０をカットする。その後、適切な金属化（メタライゼーション）およびスタンパ成長工程を実質的に慣用方法により行って第１のスタンパ１５６を得る。
【００４４】
このようにして、第１のスタンパ１５６はＩＤタグを具現化したピットおよびランドの配列を含む。ＩＤタグはスタンパに記憶された他のデータと同様に、適切なスタンパ読取装置を用いて容易に読み取ることができる。スタンパ上のピットおよびランドのパターンは、図６に示すように、適切な射出成形または同様のプレス方法を用いて製造する際に、層１の基板１５８に転写される。その結果、（層１のデータをその境界に沿って含む）層１の基板１５８も図示のようにピットおよびランドの配列として表現されたＩＤタグを含む。
【００４５】
同様に、図７は、やはりスタンパ０と呼ばれる第２のスタンパ１６０を示し、スタンパ１６０は同様に図３のシステム１３０を用いて形成される。前述のように、第２のスタンパ１６０は、好ましくは、層０に対するＴＯＣとＩＤタグを含む、読取可能なピットおよびランドの配列を含み、これらも製造時に層０の基板１６２に転写される。層０の基板１６２は、図示のように、層０のデータをその境界に沿って含む。
【００４６】
ここで、注意されるのは、第１のスタンパ１５６上のピットおよびランドからのＩＤタグは、有利なことに、第１のスタンパ１５６を第２のスタンパ１５８に対応するものとして認識することを可能にするので、製造処理の際に非常に有用である。例えば、多数の基板が処理されるプレス操作をする前に、第１のスタンパ１５６（または第２のスタンパ１５８）上のＩＤタグを迅速に検証すれば、形成されようとしている関連する層について所望のタイトル、コンテンツ、改訂レベル等を得るのに正しいスタンパを使用していることを確認することができる。
【００４７】
同様に、基板１５８、１６２上にＩＤタグを設けると、組み立ててディスク１０２にする前に、これらの基板を個々に（別々に）検証するのが容易になる。有利なことに、図８に示すように、ＩＤタグは基板がディスク１０２に組み込まれた後でもアクセス可能である。
【００４８】
図８は、ディスク１０２を単純化し、誇張して図６および図７の基板１５８、１６２をエポキシの中間層１６４を用いて組み合わせることにより形成されるものとして示す図である。図８は、完成されたディスクをさらに処理する際に、ＴＯＣ、（図８にＩＤタグ０として表す）層０用のＩＤタグおよび層１用のＩＤタグ（ＩＤタグ１）に図１のシステム１００のようなリーダーシステムがどのようにしてアクセスすることができるかを説明するのに有用である。これらの種々の値は所与のディスクタイトルに対する適切なセットを構成するものとして直ちに検証可能であり、それによりディスクが適切に組み立てられていることがプログラム領域のコンテンツにアクセスすることを要せずに保証される。
【００４９】
図９は、図８の組み立てられたディスク１０２と名目上同等の一群のディスクを形成するのに用いられる製造および検査環境２００を示す機能ブロック図である。一般化された処理の流れを多数の操作ステーションにより表す。
【００５０】
これらの操作ステーションは、（１５８、１６２のような）スタンパが所与のタイトルについて形成されるスタンパ生成ブロック２０２、個々の層用の（１５８、１６２のような）基板または製品がプレス操作を用いてスタンパから作製される層作製ブロック２０４、および製造欠陥について基板を個別に検査する層検査ブロック２０６を含む。
【００５１】
基板はディスク組立てブロック２０８で完全なディスクに組み立てられる。図９の種々のブロック２０２〜２１０を単一の施設内で実行することもできるし、多数の異なる施設、場所および／または実体の間に分散することもできる。
【００５２】
とにかく、種々のブロック２０２〜２１０のそれぞれは（通信経路２１２により表される）コンピュータネットワークでデータベース２１６を維持するサーバ２１４と通信する。データベース２１６は好ましくは上述のように機能して種々の個別の層に対してＩＤタグを割り当て、追跡する。好ましくは、データベースは各層毎にデータ履歴記録を維持し、特定のＩＤタグがアクセスされたときにステーション２０２〜２１０のそれぞれがデータベース２１６からデータを提供することができるとともに、特定の操作の終了時にデータベース２１６を更新して層の履歴を更新することができる。
【００５３】
ここに説明した現在の好適な実施形態は従来技術に対して利点を提供することが評価される。ここに説明されたＩＤタグは、直接的な、かつ安価な方法で任意の数の異なるディスク形式に容易に組み込むことができる。
【００５４】
ＩＤタグは、ＩＤタグが好ましくはスタンパのレベル、個々の層（基板）のレベル、および完成されたディスクのレベルでアクセス可能であり、所与のディスクタイトルに関連する完全な履歴を、ディスク製造から数年後でさえも容易に決定することを可能にする、全体的履歴能力を提供する。
【００５５】
タグは、所与のタイトルセット内の特定の層の対応を直ちにかつ容易に確立することができるので顕著に改善された製造処理を提供する。層も効率的な方法で独立かつ別個に検査および加工することが可能である。
【図面の簡単な説明】
【００５６】
【図１】光ディスクリードバックシステムの機能ブロック図である。
【図２】図１のシステムにより読取可能な、本発明の好ましい実施形態により構成された多層光ディスクを一般化して示す図である。
【図３】図２のディスクのための主層ディスクを形成するのに用いる記録システムを示す図である。
【図４】図２の光ディスクの非ゼロ層（層１）用のフォーマットの概略図である。
【図５】図２の光ディスクのゼロ層（層０）用のフォーマットの概略図である。
【図６】図３のシステムを用いて形成され、図４の層を形成するためのスタンパを示す図である。
【図７】図３のシステムを用いて形成され、図５の層を形成するためのスタンパを示す図である。
【図８】図２の組み立てられたディスクを一般化して示す図である。
【図９】図８の組み立てられたディスクを形成するのに用いられる製造・検査環境の機能ブロック図である。
【符号の説明】
【００５７】
１００  リードバックシステム
１０２  光ディスク
１０４  リードバックプロセッサ
１０６  入力／出力装置
１０８  アクチュエータ
１１０  光ピックアップ（変換ヘッド）
１１２  ディスクモータ
１１４  データ記録層（層０）
１１６  データ記録層（層１）
１１８  リードイン領域
１２０  プログラム領域
１２２  中間領域
１２６  プログラム領域
１２８  リードアウト領域
１３０  記録システム
１３４  ソース
１３２  信号処理ブロック
１３６  変調（ＭＯＤ）回路
１３８  発光変換器
１４０  ガラスマスターディスク
１４２  モータ
１４４  アクチュエータ
１４６  制御ブロック
１５０  ＩＤタグフィールド
１５２  ＩＤタグフィールド
１５６  第１のスタンパ
１５８  基板
１６０  第２のスタンパ
１６２  基板
１６４  中間層
２００  製造および検査環境
２０２  スタンパ生成ブロック
２０４  層作製ブロック
２０６  層検査ブロック
２０８  ディスク組立てブロック
２１０  ディスク検査ブロック
２１２  通信経路
２１６  データベース
２１４  サーバ
【図１】
0004792386.tif 000002
【図２】
0004792386.tif 000003
【図３】
0004792386.tif 000004
【図４】
0004792386.tif 000005
【図５】
0004792386.tif 000006
【図６】
0004792386.tif 000007
【図７】
0004792386.tif 000008
【図８】
0004792386.tif 000009
【図９】
0004792386.tif 000010